(57)【要約】【課題】他部品の視認性を確保しながら装飾性を向上させることが出来ると共に、偽造防止効果も有する板状部品と、その板状部品を備えた腕時計、装身具、タグ、ファスナーを提供する。【解決手段】板状部品を、少なくとも２つの板状部材で構成し、板状部材をサファイア単結晶、ルビー単結晶、ガラス、ダイヤモンド単結晶の何れで形成すると共に、平面形状を正方形、長方形、円形、楕円形、頂点３つ以上の多角形の何れかとする。一つの板状部材の周縁部に傾斜面を形成し、傾斜面を非貼り合わせ面として、２つの板状部材を貼り合わせる。更に文字、図形、記号の何れかを貼り合わせ面に印刷するか凹状に形成すると共に、凹状の箇所が形成された場合はそこに発光材を配置する。傾斜面の幅は、文字や図形又は記号の何れかの高さ寸法以上とし、文字や図形又は記号を、板状部材の平面形状の中心線を跨いで形成する。【選択図】図１
2018021456.tif 000002
【特許請求の範囲】
【請求項１】
少なくとも第一の板状部材と第二の板状部材で構成され、
板状部材が、サファイア単結晶、ルビー単結晶、ガラス、ダイヤモンド単結晶の何れかから形成されており、
板状部材の平面形状が、正方形、長方形、円形、楕円形、頂点３つ以上の多角形の何れかであり、
一つの板状部材の周縁部の少なくとも一部に、傾斜面が形成されており、
傾斜面を非貼り合わせ面として、第一の板状部材と第二の板状部材とが厚さ方向に重ねて貼り合わされており、
文字、図形、記号の何れかが、２つの板状部材の互いの貼り合わせ面の少なくともどちらかに印刷、凹状に形成、或いは第三の板状部材に発光材が嵌め込まれる事で形成されており、
凹状の箇所が形成された場合はその凹状の箇所に発光材が配置されており、
板状部材を平面方向から見た時の傾斜面の幅が、文字や図形又は記号の何れかの高さ寸法以上であり、
文字や図形又は記号の何れかが、板状部材の平面形状の中心線を跨いで形成されており、
ライト照射時又は暗闇で、文字、図形、記号の何れかが発光すると共に、文字、図形、記号の何れかから発光した光が板状部品の側面から出射され、更に発光した文字、図形、記号の何れかが傾斜面から観察される板状部品。
【請求項２】
前記傾斜面の幅が、前記文字や前記図形又は前記記号の何れかの高さ寸法の、２倍以上である請求項１記載の板状部品。
【請求項３】
一つの前記板状部材の周縁部の全周に、前記傾斜面が形成されている請求項１又は２に記載の板状部品。
【請求項４】
前記文字、前記図形、前記記号の何れかから発光した光が、前記板状部品の前記側面の全周から出射される請求項１〜３の何れかに記載の板状部品。
【請求項５】
前記凹状の箇所内に、前記文字、前記図形、前記記号の何れかと外形形状が相似な板材が配置されている請求項１〜４の何れかに記載の板状部品。
【請求項６】
前記側面の表面粗さRaが5.0μｍ以上8.0μｍ以下であると共に、前記側面を除く面の表面粗さRaが0.1μｍ以下である請求項１〜５の何れかに記載の板状部品。
【請求項７】
請求項１〜６の何れかの板状部品を備えた、腕時計、装身具、タグ、ファスナー。
【請求項８】
少なくとも一つの部材で構成され、
部材が、サファイア単結晶、ルビー単結晶、ガラスの何れかから形成されており、
部材の平面形状が、正方形、長方形、円形、楕円形、頂点３つ以上の多角形の何れかで形成されたリング形状であり、
文字、図形、記号の何れかが、部材の外側面、底面、内部の、少なくとも何れかに印刷、凹状に形成、或いは別部材を含む場合はその別部材に発光材が嵌め込まれる事で形成されており、
凹状の箇所が形成された場合はその凹状の箇所に発光材が配置されており、
ライト照射時又は暗闇で、文字、図形、記号の何れかが発光すると共に、文字、図形、記号の何れかから発光した光が部材から出射され、
請求項７に記載の腕時計に備えられる見返しリング。
【請求項９】
前記見返しリングが２つの部材を貼り合わされる事で構成され、前記文字、前記図形、前記記号の何れかが、２つの部材の互いの貼り合わせ面の少なくともどちらかに印刷又は凹状に形成されており、凹状の箇所が形成された場合はその凹状の箇所に前記発光材が配置されている請求項８に記載の見返しリング。
【発明の詳細な説明】
【技術分野】
【０００１】
本発明は、板状部品及びそれを備えた腕時計、装身具、タグ、ファスナーに関する。
【背景技術】
【０００２】
有名ブランドのバックや腕時計、装身具と云った様々な製品に関して、模倣品による被害が広がっている。模倣品が企業に与える被害は大きく、例えば低価格の模倣品が出回ると真正品の販売機会の損失だけでなく、ビジネスモデルの破綻にもなりかねない。また粗悪な模倣品により悪い風評が広がると、長年に亘って育んできたブランドイメージの信用を失うことにもなりかねない。【０００３】
そこで、模倣品による被害を防ぐために、真正品と模倣品を識別する技術が開発されており、例えば特許文献１が開示されている。【０００４】
特許文献１には、腕時計のケース部品に固着された透明プレートを有し、このプレートを通して記号情報を読み込む事が出来ると云う、記号情報の保護装置が開示されている。記号情報としては、腕時計の出所を示す製造マークや商標が挙げられており、これら記号情報を透明プレートと腕時計のケース部品との間に挟むことで、剥離不能に接着している。従って腕時計の購入者が、記号情報が真性かどうか目視で確認する事が出来るとしている。【０００５】
特許文献１記載の保護装置は偽造防止効果を有するものの、腕時計に必要な装飾性を付加する事は、何ら考慮されていなかった。【０００６】
そこで、腕時計に別途、装飾性を付加する先行技術として、例えば特許文献２が挙げられる。特許文献２には、自由に発光部を発光させて、色彩性及び装飾性に優れた時計ガラスとして、２枚の透明なガラス板を上下に積層した２層構造の時計ガラスが開示されている。２枚のガラス板は透明な接着剤により貼り合わされており、これらガラス板の間には更に発光部が設けられている。この発光部は、波長350〜420ｎｍ又は254〜365ｎｍの紫外線に反応して発光するため、色彩性および装飾性に優れた時計ガラスを実現している。
【先行技術文献】
【特許文献】
【０００７】
【特許文献１】特開昭５８−０４４３８１号公報
【特許文献２】特開２００３−１８６４２９号公報
【発明の概要】
【発明が解決しようとする課題】
【０００８】
しかし特許文献２では、発光層を時計ガラスの全面に設ける構造であった。従って、全面を発光させた場合、文字盤が見えづらかった。特許文献２では、例えば時計ガラスの発光部を赤色系で発光させ、更に別に指針を、発光部で緑色系（または黄色系）に発光させる必要があった。【０００９】
従って、発光部を時計ガラスとは別に設ける必要性があったことから製造コストの高騰を招くと共に、他製品への水平展開の阻害要因となり、最小限の発光部の構成で、文字盤など他部品の視認性を確保しながら装飾性を向上させることが出来なかった。【００１０】
本発明は、上記課題に鑑みてなされたものであり、他部品の視認性を確保しながら装飾性を向上させることが出来ると共に、偽造防止効果も有する板状部品と、その板状部品を備えた腕時計、装身具、タグ、ファスナーの提供を目的とする。
【課題を解決するための手段】
【００１１】
前記課題は、以下の本発明により達成される。即ち、本発明の板状部品は、少なくとも第一の板状部材と第二の板状部材で構成され、板状部材が、サファイア単結晶、ルビー単結晶、ガラス、ダイヤモンド単結晶の何れかから形成されており、板状部材の平面形状が、正方形、長方形、円形、楕円形、頂点３つ以上の多角形の何れかであり、一つの板状部材の周縁部の少なくとも一部に、傾斜面が形成されており、傾斜面を非貼り合わせ面として、第一の板状部材と第二の板状部材とが厚さ方向に重ねて貼り合わされており、文字、図形、記号の何れかが、２つの板状部材の互いの貼り合わせ面の少なくともどちらかに印刷、凹状に形成、或いは第三の板状部材に発光材が嵌め込まれる事で形成されており、凹状の箇所が形成された場合はその凹状の箇所に発光材が配置されており、板状部材を平面方向から見た時の傾斜面の幅が、文字や図形又は記号の何れかの高さ寸法以上であり、文字や図形又は記号の何れかが、板状部材の平面形状の中心線を跨いで形成されており、ライト照射時又は暗闇で、文字、図形、記号の何れかが発光すると共に、文字、図形、記号の何れかから発光した光が板状部品の側面から出射され、更に発光した文字、図形、記号の何れかが傾斜面から観察されることを特徴とする。【００１２】
また、本発明の腕時計、装身具、タグ、ファスナーは、前記板状部品を備えたことを特徴とする。【００１３】
また本発明の見返しリングは、少なくとも一つの部材で構成され、部材が、サファイア単結晶、ルビー単結晶、ガラスの何れかから形成されており、部材の平面形状が、正方形、長方形、円形、楕円形、頂点３つ以上の多角形の何れかで形成されたリング形状であり、文字、図形、記号の何れかが、部材の外側面、底面、内部の、少なくとも何れかに印刷、凹状に形成、或いは別部材を含む場合はその別部材に発光材が嵌め込まれる事で形成されており、凹状の箇所が形成された場合はその凹状の箇所に発光材が配置されており、ライト照射時又は暗闇で、文字、図形、記号の何れかが発光すると共に、文字、図形、記号の何れかから発光した光が部材から出射され、前記腕時計に備えられることを特徴とする。
【発明の効果】
【００１４】
本発明に係る板状部品に依れば、他部品の視認性を確保しながら、最小限の発光材の配置又は構成で装飾性を向上させることが出来る。また２つの板状部材を貼り合わせて厚さを増加させ、文字や図形又は記号の何れかを、板状部材の平面形状の中心線を跨いで形成し、更に発光材を配置することで、発光材の配置部分を抑えながら側面からの出射による発光を実現し、装飾性の向上と発光による偽造防止効果も有することが可能となる。【００１５】
更に発光を真贋判定にも使用することが可能なので、板状部品を腕時計や装身具（リング、ネックレス、イヤリング、ブレスレット等）、タグ、又はファスナーに用いることで、偽造防止効果も有する。【００１６】
また本発明に係る見返しリングに依れば、発光材の発光により装飾性を向上させることが出来ると共に、偽造防止効果も有することが可能となる。
【図面の簡単な説明】
【００１７】
【図１】本発明の実施形態に係る板状部品の組立状態を示す斜視図である。
【図２】図１の板状部品の組立後の斜視図である。
【図３】図１の板状部品の平面図である。
【図４】図１の板状部品において、第二の板状部材を模式的に示す側断面図である。
【図５】図１の板状部品において、発光材からの出射光の反射光路を示す説明断面図である。
【図６】図１の板状部品において、傾斜面からの文字が観察される状態を示す部分説明図である。
【図７】本発明の実施形態に係る板状部材の平面形状の変更例を示す平面図である。
【図８】図１の板状部品において、第二の板状部材の凹状箇所内に、文字と外形形状が相似な板材が配置されている状態を模式的に示す部分平面図である。
【図９】本発明の実施形態に係る板状部品の、変更例を模式的に示す側断面図である。
【図１０】本発明の実施形態に係る見返しリングの一例を模式的に示す斜視図である。
【図１１】図１０の見返しリングの平面図である。
【図１２】(a) 図１１の見返しリングのＡ−Ａ断面図であり、更に外側面に文字、図形、記号の何れかを形成した形態を図示している。(b) 図１２(a)の円Ｂ部分の拡大図である。
【図１３】(a) 本発明の他の実施形態に係る見返しリングの断面図であり、更に底面に文字、図形、記号の何れかを形成した形態を図示している。(b) 図１３(a)の円Ｂ部分の拡大図である。
【図１４】(a) 本発明の更に他の実施形態に係る見返しリングの断面図であり、更に内部に文字、図形、記号の何れかを形成した形態を図示している。(b) 図１４(a)の円Ｂ部分の拡大図である。
【図１５】(a) 本発明の更に他の実施形態に係る見返しリングの断面図であり、更に内部に文字、図形、記号の何れかを形成した別形態を図示している。(b) 図１５(a)の円Ｂ部分の拡大図である。
【図１６】図１２の見返しリングを備えた腕時計の一例を示す断面図である。
【図１７】(a) 本発明の更に他の実施形態に係る見返しリングの断面図であり、更に外側面に文字、図形、記号の何れかを形成した形態を図示している。(b) 図１７(a)の円Ｂ部分の拡大図である。
【図１８】本発明の実施形態に係る見返しリングの、変更例を模式的に示す側断面図である。
【図１９】本発明の実施形態に係る見返しリングの、他の変更例を模式的に示す側断面図である。
【図２０】本発明の実施形態に係る見返しリングの、更に他の変更例を模式的に示す側断面図である。
【発明を実施するための形態】
【００１８】
本実施の形態の第一の特徴は、少なくとも第一の板状部材と第二の板状部材で構成され、板状部材が、サファイア単結晶、ルビー単結晶、ガラス、ダイヤモンド単結晶の何れかから形成されており、板状部材の平面形状が、正方形、長方形、円形、楕円形、頂点３つ以上の多角形の何れかであり、一つの板状部材の周縁部の少なくとも一部に、傾斜面が形成されており、傾斜面を非貼り合わせ面として、第一の板状部材と第二の板状部材とが厚さ方向に重ねて貼り合わされており、文字、図形、記号の何れかが、２つの板状部材の互いの貼り合わせ面の少なくともどちらかに印刷、凹状に形成、或いは第三の板状部材に発光材が嵌め込まれる事で形成されており、凹状の箇所が形成された場合はその凹状の箇所に発光材が配置されており、板状部材を平面方向から見た時の傾斜面の幅が、文字や図形又は記号の何れかの高さ寸法以上であり、文字や図形又は記号の何れかが、板状部材の平面形状の中心線を跨いで形成されており、ライト照射時又は暗闇で、文字、図形、記号の何れかが発光すると共に、文字、図形、記号の何れかから発光した光が板状部品の側面から出射され、更に発光した文字、図形、記号の何れかが傾斜面から観察される板状部品とした事である。
【００１９】
第二の特徴は、前記何れかの板状部品を備えた、腕時計、装身具、タグ、ファスナーとした事である。
【００２０】
これらの構成に依れば、他部品の視認性を確保しながら、最小限の発光材の配置又は構成で装飾性を向上させることが出来る。また２つの板状部材を貼り合わせて厚さを増加させ、文字や図形又は記号の何れかを、板状部材の平面形状の中心線を跨いで形成し、更に発光材を配置することで、発光材の配置部分を抑えながら側面からの出射による発光を実現し、装飾性の向上と発光による偽造防止効果も有することが可能となる。
【００２１】
なお本発明に於いて正方形、長方形、頂点３つ以上の多角形には、各頂点を丸めて角丸とした平面形状も含むものとする。
【００２２】
また本発明に於いて、文字や図形又は記号の何れかの高さ寸法とは、複数の文字や図形又は記号が形成されている場合、全ての文字や図形又は記号が収まる高さ寸法を指すものとする。
【００２３】
また本発明に於いてライトとは、紫外線領域の光を発光するか、赤外線領域の光を発光するものとする。
【００２４】
第三の特徴は、傾斜面の幅が、文字や図形又は記号の何れかの高さ寸法の、２倍以上とした点である。
【００２５】
この構成に依れば、傾斜面から文字や図形又は記号を、２列以上の複数で以て目視により観察する事が可能となり、装飾性を更に向上させることが出来る。
【００２６】
第四の特徴は、一つの板状部材の周縁部の全周に、傾斜面が形成されている点である。
【００２７】
この構成に依れば、あらゆる角度から板状部品を見ても、文字や図形又は記号を目視により傾斜面から観察する事が可能となる。従って装飾性を更に向上させることが出来る。
【００２８】
第五の特徴は、文字、図形、記号の何れかから発光した光が、板状部品の側面の全周から出射される点である。
【００２９】
この構成に依れば、装飾性の向上の点でより好ましい。
【００３０】
第六の特徴は凹状の箇所内に、文字、図形、記号の何れかと外形形状が相似な板材が配置されている点である。
【００３１】
この構成に依れば、より一層装飾性を向上させることが出来る。
【００３２】
第七の特徴は、側面の表面粗さRaが5.0μｍ以上8.0μｍ以下であると共に、前記側面を除く面の表面粗さRaが0.1μｍ以下の点である。
【００３３】
この構成に依れば、側面の表面粗さRaを5.0μｍ以上8.0μｍ以下に設定することで、側面に伝搬した光が側面で散乱して出射する。従って、側面が発光したように観察可能となり、装飾性が向上する。同時に、発光したように観察される箇所を側面のみとすることが可能となり、板状部品を腕時計等に用いた時に他部品の視認性が確保出来る。
【００３４】
第八の特徴は、少なくとも一つの部材で構成され、部材が、サファイア単結晶、ルビー単結晶、ガラスの何れかから形成されており、部材の平面形状が、正方形、長方形、円形、楕円形、頂点３つ以上の多角形の何れかで形成されたリング形状であり、文字、図形、記号の何れかが、部材の外側面、底面、内部の、少なくとも何れかに印刷、凹状に形成、或いは別部材を含む場合はその別部材に発光材が嵌め込まれる事で形成されており、凹状の箇所が形成された場合はその凹状の箇所に発光材が配置されており、ライト照射時又は暗闇で、文字、図形、記号の何れかが発光すると共に、文字、図形、記号の何れかから発光した光が部材から出射され、前記腕時計に備えられる見返しリングとした事である。
【００３５】
この構成に依れば、発光材の発光により装飾性を向上させることが出来ると共に、偽造防止効果も有することが可能となる。
【００３６】
第九の特徴は、見返しリングが２つの部材を貼り合わされる事で構成され、文字、図形、記号の何れかが、２つの部材の互いの貼り合わせ面の少なくともどちらかに印刷又は凹状に形成されており、凹状の箇所が形成された場合はその凹状の箇所に発光材が配置されているとした事である。
【００３７】
この構成に依れば、２つの部材の互いの貼り合わせ面に、文字、図形、記号の何れかが形成されると共に発光材が配置されているので、見返しリングの内部に発光材が配置され、その発光材を発光させる事で装飾性を向上させることが出来る。更に、発光材の発光による偽造防止効果も有することが可能となる。
【００３８】
以下、図１〜図９を参照して本発明の実施形態に係る板状部品を説明する。本実施形態に係る板状部品１は図１に示すように、少なくとも第一の板状部材２と第二の板状部材３を貼り合わせて構成される（以下、必要に応じて単に、「板状部材２」、「板状部材３」と記載する）。
【００３９】
第一の板状部材２と第二の板状部材３は共に、サファイア単結晶、ルビー単結晶、ダイヤモンド単結晶又はガラスの何れかで形成されている。ガラスとしては、クリスタルガラス（lead glass）や石英ガラス等が挙げられる。各材料は公知の方法を用いて作製すれば良い。サファイア単結晶やルビー単結晶の場合、EFG（Edge-defined Film-fed. Growth）法、キロプロス法、チョクラスルキー法、ベルヌーイ法、垂直ブリッジマン法などによって育成成長されたものを用いる。ダイヤモンド単結晶はエピタキシャル法により形成すれば良い。
【００４０】
例えばサファイア単結晶で板状部材２、３を形成する場合、結晶面方位としては例えば表面2sや貼り合わせ面3aをｃ面とするものを用いれば良いが、ｃ面に限定されずｒ面、ａ面、ｍ面等、所望の結晶面を表面としても良い。
【００４１】
２つの板状部材の平面形状は、正方形、長方形、円形、楕円形、頂点３つ以上の多角形の何れかとする。なお、正方形、長方形、又は多角形に成形する場合、各頂点を丸めて角丸とした平面形状に変更しても良い。図１〜図３では基本形状を長方形とし、４つの頂点を面取りした、八角形の平面形状の形態を図示している。また板状部品２及び３の平面形状は互いに同一形状に形成される。
【００４２】
更に、２つのうち一方の板状部材の周縁部の少なくとも一部に、傾斜面が形成される。図１〜図３の形態では、第一の板状部材２の周縁部の全周に亘って、傾斜面2a、2b、2cが形成されている。その傾斜面2a、2b、2cが形成されている側の面を非貼り合わせ面として、板状部材２と３とが厚さ方向に重ねて貼り合わされて板状部品１が形成される。
【００４３】
更に、２つの板状部材２、３の互いの貼り合わせ面の少なくともどちらかに、文字、図形、記号の何れかが印刷により形成されているか、凹状に形成される。図１〜図４では、第二の板状部材３の貼り合わせ面3a上に、アルファベットＡ〜Ｅから成る文字４を凹状に形成している形態を図示している。文字又は図形又は記号としては、アルファベット、ひらがな、カタカナ、漢字、数字、漢数字、符号等のあらゆる文字や、ブランドロゴを含む。また図形としては、円や三角形又は四角形といった基本的な図形や、より複雑な幾何学模様、又はブランドや製造者を示すトレードマークも含む。
【００４４】
文字、図形、記号の凹状形成は、レーザ走査により行えば良い。なおレーザ走査に対する耐性の点から、板状部材２、３の材料はサファイア単結晶、ルビー単結晶、ダイヤモンド単結晶がより好ましい。
【００４５】
凹状の箇所が形成された場合はその凹状の箇所に発光材５が配置される。発光材５としては、紫外線領域（254ｎｍ〜365ｎｍ）、可視光領域（365ｎｍ超〜780ｎｍ未満）、または赤外線領域（780ｎｍ以上）の光を発光する蓄光体（燐光体）、蛍光体、又は発光ガラスが用いられる。蓄光体（燐光体）としては、アルミナ系酸化物の無機顔料、硫化物系顔料が挙げられ、蛍光体としては蛍光インクが挙げられる。文字、図形、記号を印刷で形成する場合は、発光材５を板状部材２、３の互いの貼り合わせ面の少なくともどちらかに印刷する事となる。
【００４６】
図３より、板状部材２を平面方向から見た時の傾斜面2aの幅T2a又は傾斜面2bの幅T2bは、文字４（又は図形や記号の何れか）の高さ寸法T4以上に設定されている。また、傾斜面2a、2b、2cの傾斜角度は、表面2sを基準として約20度前後に設定される。以上の設定により、板状部品１を斜めから見た時に、傾斜面2a、2b、2cから文字４（又は図形や記号の何れか）を目視により観察する事が可能となり、装飾性を向上させることが可能となる。なお高さ寸法T4とは、複数の文字や図形又は記号が形成されている場合、全ての文字や図形又は記号が収まる高さ寸法を指すものとする。
【００４７】
より好ましくは、更に幅T2a又は幅T2bが、高さ寸法T4の２倍以上に設定される事がより好ましい。このような設定により、板状部品１を斜めから見た時に、傾斜面2a、2b、2cから文字４や図形又は記号を、２列以上の複数で以て目視により観察する事が可能となり、装飾性を更に向上させることが出来る。
【００４８】
更に、板状部材２の周縁部の全周に、傾斜面2a、2b、2cが形成される事により、あらゆる角度から板状部品１を見ても、文字４や図形又は記号を目視により傾斜面2a、2b、2cから観察する事が可能となる。従って、装飾性を更に向上させることが出来る。
【００４９】
文字４（又は図形や記号の何れか）は、板状部材の平面形状の中心線を跨いで印刷されるか、凹状に形成される。図３の形態では文字４が、板状部材２の平面形状に於ける幅方向の中心線C1を跨ぐように、印刷されるか凹状に形成されている。中心線とは、板状部材を平面方向から見た時の平面形状において、中心点を通る線を指す。従って図３では、板状部材２の高さ方向の中心線C2を跨ぐように、文字４を形成しても良い。
【００５０】
板状部材２と３は接着剤により、互いの外形が一致するように厚さ方向に重ね合わせて、貼り合わされている。接着剤は、板状部材２、３を重ね合わせた状態で固定できれば材料は限定されず、例えば紫外線硬化樹脂を用いることができる。また、板状部材２、３を重ね合わせた状態で、水に近い粘度（20℃で20cps）の接着剤を、毛細管現象を利用して板状部材２、３の間に行き渡らせて、貼り合わせても良い。接着剤の透過率は、分光光度計で透過率を測定した際に、例えば400ｎｍ〜800ｎｍの波長範囲での透過率が所定値（例えば80％以上）を満足すれば良い。なお貼り合わせの際は、貼り合わせ面への異物や気泡の混入が無いように留意する。
【００５１】
更に、板状部品１を同一材料の板状部材２、３で構成することにより、熱膨張係数や格子定数などの物性を同一にすることができ、板状部品１における撓みや反りの発生を抑制することが可能となる。
【００５２】
このようにして形成された板状部品１に外部からライトを照射するか又は暗闇に置くことで、発光体５を発光させ、文字、図形、記号の何れかを発光させる。ライトとしては、いわゆるブラックライトと呼ばれる波長が365ｎｍ付近または254ｎｍ〜365ｎｍの紫外線領域の光を発光する紫外線灯または紫外線発光ダイオード（LED）や、780ｎｍ以上の赤外線領域の光を発光する赤外線発光素子で構成すれば良い。このようなライトから出射される特定波長の光に反応して、発光材５により文字や図形又は記号が有色発光する。或いは発光体５が蓄光体（燐光体）の場合、暗闇に置かれると励起光の消失により発光し続ける。
【００５３】
文字や図形又は記号は、発光材５を構成する材料により、254ｎｍ〜365ｎｍの紫外線領域、365ｎｍ超〜780ｎｍ未満の可視光領域、又は780ｎｍ以上の赤外線領域と云った特定波長を有する光を発光する。
【００５４】
更に、文字、図形、記号の何れかから発光した特定波長を有する光が、図５に示されるように板状部材２の表面2s及び板状部材３の底面での反射（図５中の二点鎖線矢印）、又は図示しないが光の一部が接着剤と板状部材２又は３の境界面で反射を繰り返しながら、板状部品１の側面1sや傾斜面2a、2b、2cから入射角度に応じて出射される。文字や図形又は記号の何れかを、中心線C1を跨いで形成しているため、特定の側面1sや傾斜面2a、2b、2cに偏ること無く、複数の側面1sや傾斜面2a、2b、2cから、光を出射させることが出来る。なお、図５では断面のハッチングは省略している。
【００５５】
なお側面1sとは、板状部材２と３の厚さを合わせた側面である。更に、側面1sの表面粗さRaを5.0μｍ以上8.0μｍ以下に加工する。一方、側面1sを除く面（図１〜図６の形態では、表面2s、傾斜面2a、2b、2c、及び板状部材３の底面）には、表面粗さRaが0.1μｍ以下となるように鏡面研磨を施す。Raの測定は、表面粗さ測定機により行えば良い。
【００５６】
従って、傾斜面2a、2b、2cからの光の出射により、文字、図形、記号の何れかが傾斜面2a、2b、2cから目視により観察される。図６は一例として、傾斜面2aから出射された光が、２列の文字４（又は図形や記号）として肉眼により観察される状態を示している。
【００５７】
更に、２つの板状部材２、３を貼り合わせて厚さを増加させた側面1sからの出射により、側面1sが紫外線領域、可視光領域、又は赤外線領域の光で確実に発光したように観察可能となる。側面1sの表面粗さRaを5.0μｍ以上8.0μｍ以下に設定することで、側面1sに伝搬した光が側面1sで散乱して出射する。従って、側面1sが発光したように観察可能となり、装飾性が向上する。側面1sの表面粗さRaを5.0μｍ未満とすると光の散乱が弱まり、側面1sが発光したように観察されない。また、表面粗さRaを8.0μｍ超とすると過度な散乱が生じて、出射される光の強度が弱まり、側面1sの発光が弱まって装飾性が低下してしまう。
【００５８】
側面1sを除く面の表面粗さRaを0.1μｍ以下と設定することにより、側面1sを除く面に伝搬した光の散乱が防止される。従って、発光したように観察される箇所を側面1sのみとすることが可能となり、板状部品１を腕時計等に用いた時に文字盤など他部品の視認性が確保出来る。表面粗さRaを0.1μｍ超と設定すると、光の散乱が発生してしまい、他部品の視認性が損なわれてしまう。
【００５９】
従って、発光材５の配置部分を文字４の凹部箇所のみと云う最小限に抑えながら側面1sからの出射による発光を実現し、装飾性を向上させることが可能となる。同時に、発光箇所を文字４及び側面1sのみとし、文字４（又は図形や記号）を除く表面2sでの発光は肉眼で観察されないこととした。従って、板状部品１を腕時計の文字盤のカバー部品に用いても、他部品である文字盤が見えづらくなる現象が解消され、視認性が確保される。また、発光材５の配置箇所を、文字４の凹部箇所のみに抑えているので、別部品に発光部を設ける必要も無くなり、製造コストの低減と他製品への水平展開を図ることも可能となった。
【００６０】
更に発光を真贋判定にも使用することが可能なので、板状部品１を腕時計や装身具（リング、ネックレス、イヤリング、ブレスレット等）、タグ、又はファスナーに用いることで、偽造防止効果も有する。
【００６１】
なお文字、図形、記号の何れかから発光した光は、板状部材の側面1sの全周から出射される事が、装飾性の向上の点でより好ましい。また、文字４（または図形、記号）は、板状部材２の貼り合わせ面上に、印刷するか凹状に形成しても良い。
【００６２】
板状部品１を一例として腕時計の文字盤を保護するカバー部品として用いる場合、図３における板状部品１の外形寸法としては、高さ22ｍｍ前後、幅16ｍｍ前後、四隅の面取り加工代を2〜3ｍｍ程度、面取り角度を45度程度、板状部材２、３の厚さを１ｍｍ前後、幅T2a及びT2bを2.3ｍｍ程度に設定すれば良い。もちろん、板状部品１を備える腕時計、装身具、タグ、ファスナーのデザインや仕様に応じて、寸法は種々設定可能である。
【００６３】
なお、文字４（又は図形や記号）を形成する凹状の箇所内に、図８に示すように文字、図形、記号の何れかと外形形状が相似な板材4aを配置し、その板材4aの周囲に発光材５を配置する様に変更しても良い。板材4aを貴金属、セラミックスで形成することで、より一層装飾性を向上させることが出来る。貴金属としては、金または白金、K18（18金）やK22（22金）、又はK24（24金）が挙げられる。セラミックスとしては、ジルコニアセラミックス、アルミナセラミックス、窒化チタン系セラミックス等が挙げられる。板材4aは、凹状の箇所の底面に固定すれば良い。
【００６４】
なお、２つの板状部材２と３は必ずしも同一な平面形状を有していなくても良く、互いの形状が異なっていても良い。
【００６５】
また図７に示すように、第一の板状部材６の平面形状を円形に形成した場合は、傾斜面6aは外周縁に沿って設ければ良い。第一の板状部材９の平面形状を楕円形とした場合も、同様に傾斜面を外周縁に沿って設ければ良い。
【００６６】
或いは、図９に示すように第三の板状部材７を設け、第三の板状部材７の平面形状を、板状部材２、３と同一に成形して、第三の板状部材７を板状部材２と３で挟むように３つを重ね合わせて接着剤により固定して、板状部品１を構成しても良い。更に図９に示すように第三の板状部材７の一部を、文字、図形、記号の形にくり抜き加工して、そこに発光材８を嵌め込んで文字や図形又は記号を形成する。なお、第三の板状部材７もサファイア単結晶、ルビー単結晶、ガラス、ダイヤモンド単結晶の何れかから形成する。ガラスとしては、クリスタルガラス（lead glass）や石英ガラス等が挙げられる。
【００６７】
次に、図１０〜図１６を参照して本発明の実施形態に係る見返しリングを説明する。なお、前記板状部品１と同一箇所には同一符合を付し、重複する説明は省略又は簡略化して記載する。本実施形態に係る見返しリング９は図１０及び図１１に示すように、少なくとも一つの部材10で構成される。
【００６８】
部材10は、サファイア単結晶、ルビー単結晶、ガラスの何れかで形成されている。ガラスとしては、クリスタルガラス（lead glass）や石英ガラス等が挙げられる。また部材10の平面形状は、正方形、長方形、円形、楕円形、頂点３つ以上の多角形の何れかで形成されたリング形状とする。なお、正方形、長方形、又は多角形に成形する場合、各頂点を丸めて角丸としたリング形状に変更しても良い。図１０〜図１１では平面形状が円形のリング形状の形態を図示している。
【００６９】
また見返しリング９の断面形状の一例として、図１２に示すように内径面側に傾斜面10aが形成された五角形が挙げられる。更に五角形以外にも、三角形や四角形など任意の多角形や、辺の一部又は一辺が曲面形成された略多角形形状（例えば、図１７参照）に形成可能である。更に各頂点を丸めて角丸な形状に形成しても良い。
【００７０】
更に、図１２又は図１３にそれぞれ示す様に、部材10の外側面か底面の少なくとも何れかに、文字、図形、記号の何れかが印刷により形成されているか、凹状に形成されている。図１２では、部材10の外側面に文字４、図形、記号の何れかを形成した形態を図示している。なお、図１３では部材10の底面に文字４、図形、記号の何れかを形成した形態を図示している。凹状の箇所が形成された場合は、その凹状の箇所に発光材５が配置される。
【００７１】
このようにして形成された見返しリング９に外部からライトを照射するか又は暗闇に置くことで発光体５を発光させ、文字４、図形、記号の何れかを発光させる。ライトを照射する場合、そのライトから出射される特定波長の光に反応して、発光材５により文字４や図形又は記号が有色発光する。或いは発光体５が蓄光体（燐光体）の場合、暗闇に置かれると励起光の消失により発光し続ける。
【００７２】
更に、文字４、図形、記号の何れかから発光した特定波長を有する光が、見返しリング９内部で乱反射し、その後部材10から外部へと出射される。なお、見返しリング９の外観に現れる面には、表面粗さRaが0.1μｍ以下となるように鏡面研磨を施す。従って、光の出射により、発光した文字４、図形、記号の何れかが、見返しリング９の外部から目視により観察可能となる。
【００７３】
従って、発光材５の発光により見返しリング９の装飾性を向上させることが出来る。更にこのような見返しリング９を、図１６に示すように腕時計11の内部に備える事で、発光材５の発光により腕時計11の偽造防止効果も有することが可能となる。なお、図１６の板状部品１に於ける文字４等の図示は省略している。図１６中の、引き出し番号13は中枠、14は長針（分針）、15は短針（時針）、16は秒針、17は時字（インデックス）、18はケース、19は文字盤、20はムーブメント、21は裏蓋を、それぞれ示している。
【００７４】
図１０及び図１１に示す見返しリング９の外形寸法としては、外径30.0ｍｍ前後、内径28.0ｍｍ前後、厚さ2.3ｍｍ前後に設定した、内外径差の小さい幅の狭い形態が挙げられる。他の形態としては、例えば図１７に示すように曲面10bが設けられる事で内外径の差が大きい（例えば、外径30.0ｍｍ前後、内径25.0ｍｍ前後）幅の広い形態が挙げられる。もちろん、見返しリングを備える腕時計のデザインや仕様に応じて、寸法は種々設定可能である。
【００７５】
なお前記見返しリング９は、図１４又は図１５に示すように２つの部材（第１の部材12b、第２の部材12c）を貼り合わせる事で形成された部材12で構成しても良い。部材12も、サファイア単結晶、ルビー単結晶、ガラスの何れかで形成されている。ガラスとしては、クリスタルガラス（lead glass）や石英ガラス等が挙げられる。また部材12の断面形状の一例としては、図１４又は図１５に示すように内径面側に傾斜面12aが形成された、五角形が挙げられる。更に五角形以外にも、三角形や四角形など任意の多角形や、辺の一部又は一辺が曲面形成された略多角形形状に形成可能である。更に各頂点を丸めて角丸な形状に形成しても良い。
【００７６】
第１の部材12bと第２の部材12cの貼り合わせ面の形状は、互いに同一形状に形成される。更に、第１の部材12bと第２の部材12cの互いの貼り合わせ面の少なくともどちらかに、文字、図形、記号の何れかが印刷により形成されるか、凹状に形成される。図１４又は図１５では、第１の部材12bの貼り合わせ面上に文字４を形成した形態を図示している。凹状の箇所が形成された場合、その凹状の箇所に発光材５が配置される。このように第１の部材12bの貼り合わせ面上又は外周面上に、第２の部材12cが貼り合わされる事で、部材12の内部に文字４、図形、記号の何れかが形成される。図１４は、２つの部材12b、12cが見返しリング９全体の厚さ方向に重ねて貼り合わされる形態を図示している。図１５は、２つの部材12b、12cが径方向（つまり幅方向）に重ねて貼り合わされる形態を図示している。
【００７７】
２つの部材12bと12cは接着剤により、厚さ方向又は径方向に重ね合わせて貼り合わされている。
【００７８】
更に、２つの部材12bと12cを同一材料で構成することにより、熱膨張係数や格子定数などの物性を同一にすることができ、見返しリング９における撓みや反りの発生を抑制することが可能となる。
【００７９】
この構成に依れば、２つの部材12b、12cの互いの貼り合わせ面に、文字４、図形、記号の何れかが形成されると共に発光材５が配置されているので、見返しリング９の内部に発光材５が配置される。従って、見返しリング９に外部からライトを照射するか又は暗闇に置くことで発光体５が発光し、部材12から外部へと光が出射される。なお、見返しリング９の外観に現れる面には、表面粗さRaが0.1μｍ以下となるように鏡面研磨を施す。従って光の出射により、発光した文字４、図形、記号の何れかが、見返しリング９の外部から目視により観察可能となる。
【００８０】
よって、発光材５の発光により見返しリング９の装飾性を向上させることが出来る。更に、このような見返しリング９を、図１６に示すように腕時計11の内部に備える事で、発光材５の発光により腕時計11の偽造防止効果も有することが可能となる。
【００８１】
なお図１４及び図１５に於いて文字４（または図形、記号）は、第２の部材12cの貼り合わせ面上に、印刷により形成するか凹状に形成しても良い。
【００８２】
或いは、図１８に示すように別部材22を設け、別部材22を見返しリング９に備えるか、図１９又は図２０に示すように、別部材22を第１の部材12bと第２の部材12cで挟むように３つを重ね合わせて接着剤により固定して、見返しリング９を構成しても良い。別部材22を含む場合は、更に図１８〜図２０に示すように別部材22の一部を、文字４、図形、記号の形にくり抜き加工して、そこに発光材８を嵌め込んで文字４や図形又は記号を形成する。なお、別部材22もサファイア単結晶、ルビー単結晶、ガラスの何れかから形成する。ガラスとしては、クリスタルガラス（lead glass）や石英ガラス等が挙げられる。
【実施例】
【００８３】
以下に本発明の実施例を説明するが、本発明は以下の実施例にのみ限定されるものではない。【００８４】
（実施例１）
実施例１では、図１〜図４に示される様に２つの板状部材２、３を紫外線硬化樹脂により貼り合わすことで板状部品１を構成した。板状部材２、３は共にEFG法により作製したサファイア単結晶で形成し、側面1sの表面粗さRaを5.0μｍ以上8.0μｍ以下の範囲内に加工すると共に、側面1sを除く面の表面粗さRaを0.1μｍ以下とした。【００８５】
板状部材２、３の平面形状は共に、図１〜図３に示される様に基本形状を長方形とし、４つの頂点を面取りした、同一形状の八角形とした。更に板状部材２の非貼り合わせ面の周縁部の全周に亘って、傾斜面2a、2b、2cを形成した。傾斜面2a、2b、2cの傾斜角度は、表面2sを基準として20.9度に設定した。【００８６】
板状部材３の貼り合わせ面3a上に、アルファベットＡ〜Ｅから成る文字４を凹状にレーザ走査で形成し、更に凹状の箇所に発光材５を配置した。発光材５としては、可視光領域（365ｎｍ超〜780ｎｍ未満）の光を励起光とする蓄光体（燐光体）を用いた。【００８７】
文字４は、図３に示すようにアルファベット「Ｃ」が、板状部材２の平面形状に於ける幅方向の中心線C1を跨ぐように形成した。なお幅T2a、T2bは、文字４の高さ寸法T4以上に設定した。【００８８】
このようにして形成した板状部品１を暗闇に置き、発光体５を発光させると共に、発光動作を確認した。確認の結果、赤、青、緑色の光が側面1sの全周に亘って出射され、側面1sの全周が発光している様に肉眼で確認された。一方、文字４を除く表面2sは、肉眼で発光していない様に観察されることを確認した。【００８９】
更に、発光した文字４が傾斜面2a、2b、2cから目視により観察されることを確認した。【００９０】
（実施例２）
実施例２では、図１２に示される様に１つの部材10で見返しリング９を構成した。部材10はサファイア単結晶で形成し、見返しリング９の外観に現れる面には、表面粗さRaが0.1μｍ以下となるように鏡面研磨を施した。【００９１】
部材10の平面形状は共に、図１０及び図１１に示される様に円形のリング形状とし、図１２に示される様に断面形状は、内径面側に傾斜面10aを有する五角形である。見返しリング９の外形寸法は、外径29.5ｍｍ、内径28.0ｍｍ、厚さ2.3ｍｍに設定した。【００９２】
部材10の外側面上に、アルファベットから成る文字４を凹状にレーザ走査で形成し、更に凹状の箇所に発光材５を配置した。発光材５としては、可視光領域（365ｎｍ超〜780ｎｍ未満）の光を励起光とする蓄光体（燐光体）を用いた。【００９３】
このようにして形成した見返しリング９を、図１６に示すように腕時計11内部に備えると共に、その腕時計11を暗闇に置き発光体５を発光させると共に、発光動作を確認した。確認の結果、赤、青、緑色の光が見返しリング９から外部へと出射され、アルファベットの文字が目視により確認された。
【符号の説明】
【００９４】
１      板状部品
1s      板状部品の側面
２、６      第一の板状部材
2a、6a、2b、2c      傾斜面
2s      第一の板状部材の表面
T2a、T2b      板状部材を平面方向から見た時の傾斜面の幅
３      第二の板状部材
3a      第二の板状部材の貼り合わせ面
４      文字
4a      板材
T4      文字の高さ
５、８      発光材
７      第三の板状部材
C1、C2      板状部材の平面形状の中心線
９      見返しリング
10、12      部材
10a、12a      傾斜面
10b      曲面
11      腕時計
12b      第１の部材
12c      第２の部材
13      中枠
14      長針（分針）
15      短針（時針）
16      秒針
17      時字（インデックス）
18      ケース
19      文字盤
20      ムーブメント
21      裏蓋
22      別部材
?
【図１】
2018021456.tif 000003
【図２】
2018021456.tif 000004
【図３】
2018021456.tif 000005
【図４】
2018021456.tif 000006
【図５】
2018021456.tif 000007
【図６】
2018021456.tif 000008
【図７】
2018021456.tif 000009
【図８】
2018021456.tif 000010
【図９】
2018021456.tif 000011
【図１０】
2018021456.tif 000012
【図１１】
2018021456.tif 000013
【図１２】
2018021456.tif 000014
【図１３】
2018021456.tif 000015
【図１４】
2018021456.tif 000016
【図１５】
2018021456.tif 000017
【図１６】
2018021456.tif 000018
【図１７】
2018021456.tif 000019
【図１８】
2018021456.tif 000020
【図１９】
2018021456.tif 000021
【図２０】
2018021456.tif 000022
【国際調査報告】
2018021456.tif 000023
2018021456.tif 000024
2018021456.tif 000025
2018021456.tif 000026